(57)【要約】【課題】  製造時の光学部品の組立て誤差や温度変化などによる、これらのずれやアンバランスの発生が防止又は低減された光ピックアップ及びそれに用いられる光学部品を提供する【解決手段】  レーザと、前記レーザから出射したレーザ光の偏光方向を切替えるための偏光切替素子と、前記偏光方向に応じて前記レーザ光を複数の光路に分けるための光束分割素子と、前記レーザ光を光ディスクの記録層に集光するための複数の対物レンズと、前記立上げミラーと、前記複数の対物レンズへ至る前記複数の光路の途中にそれぞれ配置される複数の結合レンズとを有する構成とする。そして、前記立上げミラーは、前記複数の対物レンズへ至る前記複数の光路の途中に配置され、前記複数の光路のそれぞれの光束に対して共用されるように構成する。前記複数の結合レンズは、同一の可動部上に連結されて保持されるように光ピックアップを構成する。【選択図】  図１
2009087413.tif 000002
【特許請求の範囲】
【請求項１】
光ピックアップであって、
レーザと、
前記レーザから出射したレーザ光の偏光方向を切替えるための偏光切替素子と、
前記偏光方向に応じて前記レーザ光を複数の光路に分けるための光束分割素子と、
前記レーザ光を光ディスクの記録層に集光するための複数の対物レンズと、
立上げミラーと、
前記複数の対物レンズへ至る前記複数の光路の途中にそれぞれ配置される複数の結合レンズとを有し、
前記立上げミラーは、前記複数の対物レンズへ至る前記複数の光路の途中に配置され、前記複数の光路のそれぞれの光束に対して共用されており、
前記複数の結合レンズは、同一の可動部上に連結されて保持されていることを特徴とする光ピックアップ。
【請求項２】
請求項１に記載の光ピックアップであって、
前記複数の結合レンズが、３層以上の記録層を有する媒体に対応した可動範囲を持つことを特徴とする光ピックアップ。
【請求項３】
請求項１に記載の光ピックアップであって、
前記光束分割素子は、前記レーザから出射したレーザ光の入射方向に対して、複数の対物レンズへ至る複数の往路光束の出射方向がいずれも平行になり、かつ、受光素子へ至る復路光束の出射方向が前記入射方向に対して垂直になるように配置されていることを特徴とする光ピックアップ。
【請求項４】
請求項１に記載の光ピックアップであって、
前記光束分割素子が偏光ビームスプリッタを兼ねており、かつ、前記レーザから出射したレーザ光の入射方向に対して、複数の対物レンズへ至る複数の往路光束の出射方向がいずれも前記入射方向に対して垂直になるように配置されていることを特徴とする光ピックアップ。
【請求項５】
光ディスクドライブ装置であって、
光ディスクを回転させるためのモータと、
前記モータの回転速度を制御するための回転サーボ回路と、
前記光ディスクにレーザ光を照射し、前記光ディスクからの反射レーザ光を検出する光ピックアップとを備え、
前記光ピックアップは、
請求項１に記載の光ピックアップを用いた光ディスクドライブ装置。
【請求項６】
光ピックアップであって、
第１のレーザ光源と、
前記第１のレーザ光源のレーザ光と異なる波長のレーザ光を出射する第２のレーザ光源と、
ダイクロイックミラー膜とＰＢＳミラー膜が平行に形成された光学素子、１／４波長板、及び、無偏光ミラーを有する光学部品と、
前記レーザ光源から出射したレーザ光を光ディスク上に集光させるための対物レンズとを有し、
前記光学素子の前記ダイクロイックミラー膜及び前記ＰＢＳミラー膜が、前記無偏光ミラーのミラー面に対して４５°の角度をなしており、
前記第１及び第２のレーザ光源を出射したレーザ光が前記光学部品に入射し、前記光学部品から出射したレーザ光が、前記対物レンズに入射するように配置されていることを特徴とする、光ピックアップ。
【請求項７】
請求項６記載の光ピックアップであって、
前記第１のレーザ光源から出射したレーザ光の前記光学部品への入射方向と、前記第２のレーザ光源から出射したレーザ光の前記光学部品への入射方向が１８０度異なることを特徴とする光ピックアップ。
【請求項８】
請求項７記載の光ピックアップであって、
前記第１のレーザ光源のレーザ光は前記ダイクロイックミラー膜で反射して前記対物レンズに入射し、
前記第２のレーザ光源のレーザ光は、前記ＰＢＳミラー膜で反射し、前記１／４波長板を透過し、前記無偏光ミラー膜で反射した後、前記１／４波長板、前記ＰＢＳミラー膜、前記ダイクロイックミラー膜を透過するように、前記光学部品が構成されていることを特徴とする光ピックアップ。
【請求項９】
請求項６から８のいずれかに記載の光ピックアップであって、
前記無偏光ミラー膜が、前記１／４波長板の表面に形成されていることを特徴とする光ピックアップ。
【請求項１０】
ダイクロイックミラー膜と、ＰＢＳミラー膜と、λ／４板と、無偏光ミラー膜とが、この順で配置されており、
前記ダイクロイックミラー膜と前記ＰＢＳミラー膜は一体の光学素子上に又は光学素子の内部に平行して形成されており、
前記ダイクロイックミラー膜と前記ＰＢＳミラー膜が前記無偏光ミラー膜に対して４５°の角度をなして配置されたことを特徴とする、光学部品。
【請求項１１】
請求項１０に記載の光学部品であって、
前記ダイクロイックミラー膜とＰＢＳミラー膜とλ／４板と無偏光ミラー膜が、前記一体の光学素子に形成されていることを特徴とする、光学部品。
【請求項１２】
光ピックアップであって、
第１波長のレーザ光を出射する第１のレーザ光源と、
前記第１波長と異なる第２波長のレーザ光を出射する第２のレーザ光源と、
前記第１波長及び第２波長と異なる第３波長のレーザ光を出射する第３のレーザ光源と、
前記第１波長のレーザ光を第１の光路と第２の光路に分岐させる分岐手段と、
前記第１の光路の前記第１波長のレーザ光と前記第２波長のレーザ光を光ディスク上に集光させるための第１の対物レンズと、
前記第２の光路の前記第１波長のレーザ光と前記第３波長のレーザ光を光ディスク上に集光させるための第２の対物レンズと、
前記第１の光路の前記第１波長のレーザ光と、該第１光路のレーザ光に対して１８０度異なる方向から入射する前記第２波長のレーザ光とを前記第１の対物レンズの方向に導き、前記第２の光路の前記第１波長のレーザ光と、該第２光路のレーザ光に対して１８０度異なる方向から入射する前記第３波長のレーザ光を前記第２の対物レンズの方向に導くための光学部品と、を備え、
前記光学部品は、ダイクロイックミラー膜と、ＰＢＳミラー膜と、と、無偏光ミラー膜とが、この順で配置され、前記ダイクロイックミラー膜と前記ＰＢＳミラー膜は一体の光学素子上に又は光学素子の内部に平行して形成され、前記ダイクロイックミラー膜と前記ＰＢＳミラー膜が前記無偏光ミラー膜に対して４５°の角度をなして配置されている光ピックアップ。
【請求項１３】
請求項９に記載の光ピックアップであって、
前記１／４波長板を通過する光束が収束発散光であることを特徴とする光ピックアップ。
【請求項１４】
光ディスクドライブ装置であって、
光ディスクを回転させるためのモータと、
前記モータの回転速度を制御するための回転サーボ回路と、
前記光ディスクにレーザ光を照射し、前記光ディスクからの反射レーザ光を検出する光ピックアップとを備え、
前記光ピックアップは、
第１波長のレーザ光を出射する第１のレーザ光源と、
前記第１波長と異なる第２波長のレーザ光を出射する第２のレーザ光源と、
前記第１波長及び第２波長と異なる第３波長のレーザ光を出射する第３のレーザ光源と、
前記第１波長のレーザ光を第１の光路と第２の光路に分岐させる分岐手段と、
前記第１の光路の前記第１波長のレーザ光と前記第２波長のレーザ光を光ディスク上に集光させるための第１の対物レンズと、
前記第２の光路の前記第１波長のレーザ光と前記第３波長のレーザ光を光ディスク上に集光させるための第２の対物レンズと、
前記第１の光路の前記第１波長のレーザ光と、該第１光路のレーザ光に対して１８０度異なる方向から入射する前記第２波長のレーザ光とを前記第１の対物レンズの方向に導き、前記第２の光路の前記第１波長のレーザ光と、該第２光路のレーザ光に対して１８０度異なる方向から入射する前記第３波長のレーザ光を前記第２の対物レンズの方向に導くための光学部品と、を備え、
前記光学部品は、ダイクロイックミラー膜と、ＰＢＳミラー膜と、と、無偏光ミラー膜とが、この順で配置され、前記ダイクロイックミラー膜と前記ＰＢＳミラー膜は一体の光学素子上に又は光学素子の内部に平行して形成され、前記ダイクロイックミラー膜と前記ＰＢＳミラー膜が前記無偏光ミラー膜に対して４５°の角度をなして配置されていることを特徴とする光ディスクドライブ装置。
【発明の詳細な説明】
【技術分野】
【０００１】
本発明は、光ディスク装置の光ピックアップ及びそれに用いられる光学部品に関するものである。より詳しくは、光学情報記録装置の光ピックアップで、２つ以上の規格に互換で対応する互換光ピックアップに関する。
【背景技術】
【０００２】
光ディスク規格が多様化するに従い、三波長以上の光源（赤外・赤色・青色光）を用いかつ、さらに多くのディスク規格に対応した互換光ピックアップの市場要求が高まっている。対応する波長／ディスク規格の数だけ、光学系が複雑となり、ピックアップのサイズが大きくなり、小型化が難しくなりつつある。
【０００３】
この改善策として、例えば、光源である半導体レーザを共用化することで低コスト化する方法が提案されている。赤外光を用いた２種類のディスク規格に対応した互換ピックアップ構造として、特許文献１に記載のように、光源を共用化して偏光切替を用いた２規格互換ピックアップが提案されてきた。
【０００４】
【特許文献１】特開平９−２２３３２７号公報
【発明の開示】
【発明が解決しようとする課題】
【０００５】
しかしながら、光源であるレーザ波長の短波長化（赤外→赤色→青色）とディスク規格の多様化によって、２種のみでは足りず、もっと多くの規格に対応したピックアップが求められるようになった。
【０００６】
一方、良いサーボ制御性能を維持する必要性から、１つの可動部に載せられる対物レンズの数には制限があり、現状一つの可動部に搭載できる対物レンズは２つ程度までが主流となっている。この場合、１つの対物レンズで複数の波長に対応する必要があるため、光源である半導体レーザを複数用い、途中で光路を分割／合成する必要がある。ところが、光路を分割／合成すると、複数の光軸間で光軸角度のずれ（相対傾角）が生じやすく、これが、ピックアップの非対称（アンバランス）なジッタ特性や、エラー発生の原因となっていた（特にチルト依存性）。またそのような多波長互換ピックアップは、光学系が複雑となり、小さなサイズに収めることが難しくなりつつある。
【０００７】
さらに、青色光源を用いるなど、高密度化した光ディスクでは、わずかな光学部品の組付け誤差によって、特性に著しくアンバランスが生じたり、また経時変化／温度変化などによって、特性が劣化しやすいという課題が明らかとなってきた。
【０００８】
このように、互換光ピックアップでは、複数の光軸を有するために、光軸どうしの中心位置／角度の一致精度が高くないと、光軸の相対傾きずれやピックアップ特性の不均等（アンバランス、非対称性）が発生しやすい。
【０００９】
本発明は、上記実情に鑑みてなされたものであり、製造時の光学部品の組立て誤差や温度変化などによる、これらのずれやアンバランスの発生が防止又は低減された光ピックアップ及びそれに用いられる光学部品を提供することを目的とする。
【課題を解決するための手段】
【００１０】
上記目的は、例えば、特許請求の範囲に記載の発明により達成できる。
【００１１】
本願において開示される発明のうち代表的なものの概要を簡単に説明すれば次のとおりである。
【００１２】
本発明の光ピックアップは、レーザと、前記レーザから出射したレーザ光の偏光方向を切替えるための偏光切替素子と、前記偏光方向に応じて前記レーザ光を複数の光路に分けるための光束分割素子と、前記レーザ光を光ディスクの記録層に集光するための複数の対物レンズと、立上げミラーと、前記複数の対物レンズへ至る前記複数の光路の途中にそれぞれ配置される複数の結合レンズとを有する構成とする。そして、前記立上げミラーは、前記複数の対物レンズへ至る前記複数の光路の途中に配置され、前記複数の光路のそれぞれの光束に対して共用されるように構成する。前記複数の結合レンズは、同一の可動部上に連結されて保持されるように光ピックアップを構成する。
【発明の効果】
【００１３】
本発明によれば、光軸の相対傾きずれの発生が防止又は低減され、特性の揃った光ピックアップを提供できる。
【発明を実施するための最良の形態】
【００１４】
本発明に従う光ピックアップは、可能な限り、部品取付誤差（位置・角度）による光軸の相対傾角や収差の発生を防ぐ構成とされ、かつ、複数の光学系に対して部品の共用化を実現することができる。
【００１５】
本発明の実施の形態を、図１〜図１２を用いて、以下実施例１〜３で説明する。理解を容易にするため、各図において、同じ作用を示す部分には一部同じ符号を付して説明している。
【実施例１】
【００１６】
（２光軸共用光学系）
本発明による、偏光切替により複数対物レンズへ光束を切替えて供給する光ピックアップの構成例について、図１〜図６、図１２を用いて説明する。
【００１７】
まず、図２に比較構成例を示す。この比較構成例は、従来構成を一部模したものであるが、本発明の構成との差異が分かりやすいように、一部のみ従来構成を取入れている。この構成では、光源である半導体レーザ４１から出射された光を、偏光切替素子４２で偏光方向を切替えた後、偏光ビームスプリッタ４３で２つの光路へ光束分割している。偏光切替素子４２は、具体的には例として液晶を電極間に挟んだもので、印加電圧によって透過光の偏光を切替る。偏光ビームスプリッタを通過した光は、三角プリズム４４で反射され、コリメートレンズ４５ａを通り、λ／４板４６を通過して、立上げミラー４７ａで反射されて、対物レンズ４８ａで集光されてディスクへ照射される。一方、偏光ビームスプリッタで反射された光は、コリメートレンズ４５ｂを通り、λ／４板４６を通過して、立上げミラー４７ｂで反射されて、対物レンズ４８ｂで集光されてディスクへ照射される。なお、一部の青色光ディスクなど、基板厚誤差補正を必要とする光ディスクの光路に対しては、コリメートレンズ４５ａまたは４５ｂのうち片方の補正を必要とするもののみを駆動する構成としていた。
【００１８】
しかし、この様な構成では、偏光ビームスプリッタ４３や三角プリズム４４や立上げミラー４７ａ・４７ｂの取付け角度誤差や、コリメートレンズ４５ａ・４５ｂどちらかの駆動機構の取付け誤差（横ずれ）によって、対物レンズ４８ａ・４８ｂから出射される光軸の角度が、正しい垂直方向からずれ、互いに異なる方向を向く、いわゆる相対傾角の誤差が発生した。相対傾角が発生すると、ピックアップの非対称（アンバランス）なジッタ特性やチルト依存性が生じ、ディスクの再生信号特性が劣化した。またそのようなピックアップは、経時変化／温度変化などによっても、特性が劣化しやすくなるという問題点が生じた。
【００１９】
そこで、本発明では、図３のような構成とした。この構成を次に説明する。
【００２０】
本構成では、従来分離していた偏光ビームスプリッタと三角プリズムを一体化して台形偏光ビームスプリッタ６とし、立上げミラー４７ａ・４７ｂを一体化して立上げミラー４７ｃとし、２つのコリメートレンズ４５ａ・４５ｂをレンズ駆動機構可動部４９によって連結して共に可動する構成とした。さらに、光束分割素子である台形偏光ビームスプリッタ６を通過後の（２つの対物レンズへ至る）出射方向が２光軸とも、光源であるレーザからの光束の入射方向に対し平行（同方向）となるように配置した。これに応じて、ディスクから反射された信号光を導く検出レンズ５０と受光素子５１は、前記入射方向に対し垂直（９０度）な方向に配置した。検出レンズ５０と受光素子５１の間に半反射鏡５２を挿入し、再生信号専用受光素子５３でも再生信号を検知できるようにした。この効果を、次の図４〜図５を用いて説明する。
【００２１】
図４は、従来構成例の問題点を説明する図である。光束分割素子として、図４（ａ）のような正方形のビームスプリッタ４を用いた場合、入射光１が照射された際、平行出射光２は、わずかな軸中心位置のシフトが生じるものの、光軸の方向は必ず入射光と平行であり、ビームスプリッタ４が組付誤差によって僅かに回転しても、全く同じ方向となる。ところが、反射面で反射され９０度進路の曲がった垂直出射光３は、ビームスプリッタ４の回転によって、進行方向が９０度からずれる。このため、分割後の２つの光束の角度が、変化し、対物レンズ出射後の光束の進行方向が片方のみ変化して、相対傾角が発生する。この様な問題は、図４（ｂ）のように三角プリズム５を用いた場合でも同様に生じることが分かる。すなわち、図２の偏光ビームスプリッタ４３や三角プリズム４４の両方で、組付誤差により相対傾角が生じる可能性がある。
【００２２】
そこで、本構成では、図５のように、一体化した台形偏光ビームスプリッタ６を用いた。本構成を用いると、図５（ａ）のように、光束分割後の出射光は、２光束共、入射光１と平行な平行出射光２ａ・２ｂとなり、台形偏光ビームスプリッタ６が組付誤差によって回転しても、相対傾角が生じない。これは、図５（ｂ）の様に、入射光１ａと出射光の方向が垂直な場合に比べて、組付許容誤差を大きく緩和するものであることが分かる。さらに、図５（ａ）では、図５（ｂ）に比べて、出射光２ｂの軸中心位置のシフトもずっと少なくなることが分かる。軸中心位置のシフトが抑えられることで、対物レンズより出射する光束の収差の発生も抑えられる。これにより、図５（ａ）では、対物レンズより出射する光束の相対傾角・強度分布共に、一致精度が改善され、収差特性も改善することが分かる。なお、このような効果は、平行（０度）だけでなく、反平行（１８０度）となる配置でも得ることができる。
【００２３】
さらに、図３の様にコリメートレンズ４５ａ・４５ｂを、同一のレンズ駆動機構可動部４９によって連結し、共に可動する構成とする構成とした。この効果を、次の図６（ａ）、図６（ｂ）を用いて説明する。
【００２４】
図６（ａ）は、球面収差補正のためのコリメートレンズ駆動を、光束分割した後の２光軸両方に対して行った場合、図６（ｂ）は、どちらか片側に対して行った場合である。球面収差補正は、記録媒体であるディスクの基板厚誤差（カバー層厚誤差）を補正するために必要であるが、このためのレンズ駆動機構を片側のみに使用した図６（ｂ）の構成の場合、レンズ駆動機構の取付角度誤差・取付位置誤差があると、レンズ駆動機構可動部４９が図の様にずれるため、コリメートレンズ４５ａの中心が、入射光１ｂの中心に対してずれて光軸が傾き、通過した２光軸間で相対傾角が発生する。なおコリメートレンズ４５ａを固定してコリメートレンズ４５ｂのみを可動させた場合でも同じである。一方、図６（ａ）の場合、両方のコリメートレンズ４５ａ・４５ｂが機械的に連結されているため、２つのコリメートレンズの間隔は、一定に保たれる。レンズ駆動機構の取付角度誤差・取付位置誤差があっても、およそ光学系の倍率が同じであれば、入射光１ｂ・１ｃに対し、通過後、両方の光軸が同じ様にずれるため、相対傾角の発生が防げる。２光軸間で光学系の倍率が２〜３割異なる場合でも、図６（ｂ）に比べて数分の１に抑えることができる。これにより、２光軸の両方で多層対応する場合でも、相対傾角の発生を抑えることができる。なお、球面収差の補正にはコリメートレンズまたは結合レンズのどちらを駆動しても補正の効果があり、ここではレンズの名称には拘らない。
【００２５】
さらに、立上げミラー４７ａ・４７ｂを一体化することで（→４７ｃ）、２光軸の角度を保ったまま対物レンズより出射することができる。
【００２６】
即ち、これら４項目の部品における相対傾角の発生を抑えることで、主要な相対傾角の発生要因全てに対策でき、最終的な（対物レンズ出射時の）相対傾角をほぼゼロ近くに抑えられる。このように部品ごとの回転ずれによる相対傾角発生を防いだ構成では、温度変化や経時変化に対しても安定で、信頼性が高い。
【００２７】
即ち、本構成においては、複数の対物レンズを有する光ピックアップで、同一レーザの出射光を偏光切替により複数対物レンズへ切替えて供給する構成において、複数の往路光束に対し一体の立上げミラーが共用されており（共通した一枚の反射鏡であり）、かつその光束の途中において各々挿入される複数のレンズ（結合レンズまたはコリメートレンズ）が、同一の可動部上に連結されて保持されている。これにより、結合レンズを保持する可動部全体が位置ずれして固定された場合も、２光軸間で相対傾角が発生しない。２つの結合レンズの間隔が一定に保たれているため、２光軸に対するずれ量がほぼ同じ値に保たれるため、出射光軸角度を２軸間で一致させることができる。また、光束分割素子や立上げミラーの回転に対して相対傾角や収差が発生しないため、組立時の回転調整精度を緩和することができ、低コスト化できる。また、光軸中心ずれを最小限に抑えることができるため、チルト特性の中心が揃い、特性の良好なピックアップを高い歩留りで作製できる。
【００２８】
また、光軸の一致精度を高められるため、再生信号専用受光素子５３上の受光面上の集光点が小さくなり、受光面サイズを小さくすることができる。受光面サイズを小さくできると、焦点のぼやけた他層の迷光の影響を小さくできるため、多層記録媒体（多層ディスク）において特に再生信号のノイズを低減できる。なお、サーボ用信号とは別に再生信号上を検出してノイズを低減できるため、受光素子上では、３スポット法に対応した受光面とすることができ、偏光切替素子４２に３スポット用の回折格子を一体化することで、トラッキング検出に３スポット法を用いることが可能となっている。
【００２９】
また、本構成においては、光軸の一致精度を高められるため、２種類の対物レンズを用いて再生する複数種類の記録媒体の両方に対し、多層記録媒体に対応したやや大きな球面収差を補正するよう、レンズを広い範囲で可動しても、レンズの移動に伴う相対傾角の発生を防ぐことができる。一般に、Ｎ層の媒体では、（Ｎ−１）層間隔分の球面収差補正範囲が必要となる。３層以上の多層媒体では、従来２層対応に比べて倍以上の球面収差補正範囲が必要となる。例えば、波長４０５ｎｍ程度の青色光を用いる場合、開口数（ＮＡ）が０．６５程度、層間隔が５０μｍ程度で、従来２層のみで補正駆動機構が不要であった場合でも、３層以上では±０．１λｒｍｓ近い球面収差が発生するため、球面収差補正駆動が必要となる。また３層以上の多層媒体では、結合レンズの可動範囲が大きく、可動範囲が広いと、光軸傾きによって、軸中心位置ずれ発生しやすくなる。相対傾角がある場合、結合レンズ可動機構（球面収差補正駆動機構）の駆動時、両軸に対し同時に光軸傾きをゼロにできる配置がなく、誤差が生じやすい。本発明では、相対傾角や光軸中心位置ずれの発生を防げるので、両軸に対して同時に光軸傾きをなくすよう結合レンズ可動機構を調整できる。本構成例では、３層以上の媒体に対応した可動範囲を確保した。この可動範囲は、対応するディスク規格にもよるが、典型的に駆動するレンズの焦点距離ｆ＝２０ｍｍで、可動範囲を３ｍｍ以上となる。
【００３０】
また、本構成においては、複数の対物レンズを有する光ピックアップで、同一レーザの出射光を偏光切替により複数対物レンズへ切替て供給する構成において、光束分割素子で、光源からの光束の入射方向に対して、複数の対物レンズへ至る複数の往路光束の出射方向がいずれも前記入射方向に対して平行（０度または１８０度）であり、かつ受光素子へ至る復路光束の出射方向が前記入射方向に対して垂直（９０度）としている。入射／出射が同じ方向となる配置では、出射光軸角度を２軸間で一致させることができるため、これにより、往路で２つの光軸間で、相対傾角や収差が発生せず、出射光軸角度を２軸間で一致させることができる。光束分割素子の回転調整精度が緩和され、かつ軸中心ずれも最小限に抑えることができる。これにより、チルトずれの許容誤差が厳しい高密度光ディスクにおいても、チルト特性の中心が揃うため、歩留りが向上する。チルト特性の中心が揃い、複数の規格のディスクの再生で特性の揃ったピックアップを構成できる。光束分割素子の回転があっても、光軸中心のずれを最小限に抑えることができるため、収差の発生も小さく抑えることができる。また、復路においては、図５（ｂ）の逆向き光路を取ることによって、２つの光軸の角度を平行に保ったまま、２光軸の中心位置のみを平行移動できるため、２光軸のＯＥＩＣ  上の集光点の位置合わせを、光束分割素子の回転角度によって調整できる。光束分割素子の回転があっても、往路系には収差はほとんど発生しないため（復路系は収差が多少あっても大きな特性の劣化がなく）、部品の取付誤差により生じる２光軸間隔の誤差を、光束分割素子である台形偏光ビームスプリッタ６の回転角度によって合わせ調整できる。２光軸間の相対的な強度分布ずれが、台形プリズム回転により、ある範囲で調整可能となる。これにより、２光軸の特性の両者ベストの中間を狙って調整でき、受光素子を共用化しつつ歩留り向上できる。
【００３１】
また、本構成では、液晶の偏光切替素子を用いることで、機械的な切替可動部が不要となり、光学的な部品の位置が切替に伴い変化しないため、上記構造との組合せでさらに光軸の振れを低減できる。
【００３２】
なお、図３の構成は、光束分割素子が偏光ビームスプリッタではなく、半反射鏡となる反射面を備えた通常のビームスプリッタの場合にも適用できる。その際の利点も、偏光に関する部分以外は共通である。出射光軸角度を２軸間で一致させることができ、また、光束分割素子や立上げミラーの回転に対して相対傾角や収差が発生しない、組立時の回転調整精度を緩和することができる、チルト特性の中心が揃うなどの利点は、このように半反射鏡の反射面を備えたビームスプリッタの場合も同様である。
【００３３】
なお、光束分割素子が偏光ビームスプリッタの場合は、例えばピットによるアドレスマークを備えたディスク記録媒体の再生時、次の図１２の様な構成を用いた場合にも特有の利点が生じる。
【００３４】
図１２は、図３の構成における半導体レーザ４１と受光素子５１の配置を入替えたものである。光束分割素子を通過して対物レンズへ至る往路光束の出射方向が、２光軸共、いずれも入射方向に対して垂直（９０度）である。なお、復路光束については、対物レンズから戻ってきた光束の入射方向に対し、受光素子へ向かう出射方向は、平行（０度または１８０度）方向となっている。偏光光学系を用いる場合、光束がプリズムの内面を反射する際には、異なる偏光方向に対し、異なる位相差が発生しやすく、偏光が乱れることにより、再生信号が歪む場合がある。２光軸間で同じ部品を共用する場合、どちらかの光軸の位相差が打消せずに残ってしまうと、対物レンズから出射される光の偏光が回転したり、楕円偏光となることで、再生時のサーボ信号が乱れるといった症状が生じる。例えばピットによるアドレスマークを備えたディスク記録媒体の再生の際に、乱れた偏光によって、サーボ信号や再生信号の乱れが生じるといった症状となる。そこで、大きな位相差が発生しやすい、プリズム内での反射の回数を揃えることが重要になる。
【００３５】
往路光束の出射方向を、入射方向に対して垂直（９０度）に配置した場合は、これを防ぐことが容易となる。具体的には、レーザから対物レンズへ向かって光束分割素子の内面で光が反射する際に、光束分割素子内で光の反射回数は、入射／出射方向が平行となる図３の配置の場合は０回と２回で異なっているのに対し、入射／出射方向が垂直となる図１２の配置の場合は、２光軸のどちらへ光が進行する場合でも反射回数は１回であり、２光軸間で同じ回数である。反射回数を同じ回数とすることで、位相差の発生量を、２光軸間でほぼ一致させ、近い値とすることができる。位相差が揃うことで、２光軸間で部品を共用しても、対物レンズより出射される光を、両方同時に綺麗な正円偏光とするよう調整することが、部品の設計により可能となる。偏光特性が揃うため、ディスクの構造により生じる光学信号上の不均一の発生を小さく抑えるとこができる。
【００３６】
即ち、本構成においては、複数の対物レンズを有する光ピックアップで、光束分割素子が偏光ビームスプリッタを兼ね、同一レーザの出射光を偏光切替により複数対物レンズへ切替て供給する構成において、光源からの光束の入射方向に対して、光束分割素子を通過して複数の対物レンズへ至る複数の往路光束の出射方向をいずれも垂直（９０度）方向となるよう配置している。これにより、光束分割素子内で光の反射回数をの２光軸間で一致させることができ、反射の際の位相差の発生量を、２光軸間でほぼ一致させることができる。共用の部品を用いても２光軸間で偏光特性が揃うため、ディスクの構造によって生じるサーボ信号や再生信号の乱れを小さく抑えるとこができる。
【実施例２】
【００３７】
（赤色光学系との組合せ）
次に、本発明による多規格互換の光ピックアップの光学系の実施の形態の一例を、図７〜１０を用いて説明する。
【００３８】
まず、本発明の構成の特徴について、図８〜１０を用いて説明する。まず、図８に比較構成例を示す。この比較構成例は、従来構成を一部模したものであるが、本発明の構成との差異が分かりやすいように、一部のみ従来構成を取入れている。なお、再生に青色光を用いる２種の記録媒体（ディスク）と、赤色光・赤外光を用いる記録媒体を、一つの光ピックアップで両方再生できるよう構成されている。以後、青色光用の光学系を青色光学系、赤色光と赤外光用の光学系を赤色光学系と呼ぶ。
【００３９】
図８の様に、比較構成では、対物レンズ６０を挟んで、青色光学系６１と赤色光学系６２とが反対側に配置されている。図８の様に、台形プリズム６３を用いて青色光学系と赤色光学系を光束分割する場合、２階建て構造となり、ピックアップ高さ６４ａが高く、ピック全体が厚くなってしまう。
【００４０】
そこで、図９の様に、台形プリズム６３に代えて、ミラーと波長版の組合せ構造６５を用いる。このミラーと波長版の組合せ構造６５の構造を、より詳しく図１０で説明する。
【００４１】
図１０（ａ）（ｂ）（ｃ）は、各々、ミラーと波長版の組合せ構造の中身の具体的な構成例である。
【００４２】
まず図１０（ａ）は、複合反射鏡と反射面付λ／４板の組合せとする構成である。複合反射鏡は、ガラス板８０の片面にダイクロイックミラー膜８１、もう一面にＰＢＳミラー膜８２が形成されている。反射面付λ／４板は、λ／４板８３の裏面に無偏光ミラー膜８４が形成されている。この複合反射鏡と反射面付λ／４板を図１０（ａ）の様に４５度を成して配置している。このように構成したミラーと波長板の組合せ構造に、青色光学系６１からの青色光が入射すると、ダイクロイックミラー膜８１にて反射して対物レンズ６０の側に導かれる。そして、記録媒体で反射し、対物レンズ６０を通過した青色光は、ダイクロイックミラー膜８１によって反射され、直ちに左側の青色光学系６１へ導かれる。
【００４３】
一方、赤色光学系６２からの光は、ＰＢＳミラー膜８２で反射する。ここで、赤色光学系６２の光は、ＰＢＳミラー膜８２にて反射するように偏光方向が調整されている。ＰＢＳミラー膜８２にて反射した赤色光学系６２の光は、λ／４板８３を透過して無偏光ミラー膜８４で反射され、再びλ／４板８３を通過する。この時点で、赤色光学系６２からの光は、偏光方向が９０度回転しているので、ＰＢＳミラー膜８２を通過し、ダイクロイックミラー膜８１も通過して、対物レンズ６０を介して記録媒体に導かれる。そして、記録媒体で反射し、対物レンズ６０を通過した戻り光は、ダイクロイックミラー膜８１は通過し、ＰＢＳミラー膜８２も通過し、λ／４板８３を通過して無偏光ミラー膜８４で反射され、再びλ／４板８３を通過した時点で偏光が９０度回転し、今度はＰＢＳミラー膜８２で右側へ反射され、赤色光学系６２に導入される。
【００４４】
図１０（ｂ）は、図１０（ａ）の複合反射鏡をプリズムとしたものであり、ガラス板８０に代えてプリズムのガラス材８５で挟んだものである。ダイクロイックミラー膜８１とＰＢＳミラー膜の間のガラス板８０は、非常に薄く、または省いてしまうことができる。斜めに挿入されたガラス板８０がなくなることで、収束・発散光中に挿入しても、非点収差やコマ収差が発生しない利点がある。
【００４５】
図１０（ｃ）は、図１０（ｂ）のプリズムと反射面付λ／４板を一体化したもので、プリズムとλ／４板上の無偏光ミラー膜８４の平行度が保てるため、青色光学系６１へ向かう光軸と赤色光学系６２へ向かう光軸の角度ずれを防ぐことができる。
【００４６】
上記、図１０（ａ）（ｂ）（ｃ）のミラーと波長版の組合せ構造を用いることで、図９の様に、青色光学系６１と赤色光学系６２を、ほぼ同じ高さに配置することができる。これにより、ピックアップ高さ６４ｂを低く収めることができ、コンパクトな光ピックアップとすることができる。
【００４７】
再び、図７に戻って説明する。図７では、図１０（ａ）に相当するミラーと波長版の組合せ構造を用いている。複合反射鏡５４と反射面付λ／４板５５を用いて、左半分の青色光学系と、右半分の赤色光学系に分離している。
【００４８】
まず、青色光学系について説明する。半導体レーザ４１から出射された光は、偏光切替素子４２を通過し、光束分割素子である台形偏光ビームスプリッタ６へ入射する。台形偏光ビームスプリッタ６内では、偏光方向に応じて、４５度反射面における透過／反射が決まる。台形偏光ビームスプリッタ６内の４５度反射面を透過した光は、そのままコリメートレンズ４５ｂへ向かう。一方、台形偏光ビームスプリッタ６内の４５度反射面で反射した光は、コリメートレンズ４５ａへ向かう。
【００４９】
コリメートレンズ４５ａ・４５ｂは、レンズ駆動機構可動部４９上に連結されて保持されており、この可動部はステッピングモータにより光軸方向に移動可能なように構成されている。コリメートレンズ４５ａ・４５ｂを通過した光は、各々、λ／４板４６を通過し、複合反射鏡５４で反射され、結合レンズ５６ａ・５６ｂを通過して、対物レンズ４８ａ・４８ｂより出射される。
【００５０】
記録媒体により反射された再生信号光は、再び対物レンズ４８ａ・４８ｂを通過し、結合レンズ５６ａ・５６ｂを通過して、複合反射鏡５４で反射され、λ／４板４６を通過し、コリメートレンズ４５ａ・４５ｂを通過して、台形偏光ビームスプリッタ６へ入射する。この際、各々の光束はλ／４板４６を２回通過したことにより偏光が９０度回転しているため、今度はコリメートレンズ４５ａを通過した光が台形偏光ビームスプリッタ６で透過し、コリメートレンズ４５ｂを通過した光が台形偏光ビームスプリッタ６で反射され、共に検出レンズ５０へ向かう。
【００５１】
検出レンズ５０を通過した光は、受光素子５１上の検出面で検出され、電気信号に変換される。なお、青色光では、再生信号の信号／ノイズ比（Ｓ／Ｎ比）が不足するため、検出レンズ５０と受光素子５１の間に設けた半反射鏡５２で一部の光を分割して専用の再生信号検出器５３で検出し、高い信号／ノイズ比で検出できる構成としている。
【００５２】
次に、赤色光学系について説明する。半導体レーザ７１ａ・７１ｂから各々出射された光は、補助レンズ７２ａ・７２ｂを通過し、３スポット法用の回折格子７３ａ・７３ｂを通過し、ビームスプリッタ７４ａ・７４ｂを通過し、コリメートレンズ７５ａ・７５ｂを通過し、複合反射鏡５４へ照射される。この際、照射される光束は、完全な平行光ではなく、若干収束発散光となるよう調整されている。照射された光束は、複合反射鏡５４で一旦反射され、反射面付λ／４板５５で反射されて偏光が９０度回転した後、今度は複合反射鏡５４を透過して、結合レンズ５６ａ・５６ｂを通過して、対物レンズ４８ａ・４８ｂより出射される。記録媒体により反射された再生信号光は、再び対物レンズ４８ａ・４８ｂを通過し、結合レンズ５６ａ・５６を通過して、複合反射鏡５４を一旦透過し、反射面付λ／４板５５で反射されて再び偏光が９０度回転した後、複合反射鏡５４で今度は反射され、コリメートレンズ７５ａ・７５ｂを通過し、ビームスプリッタ７４ａ・７４ｂで反射され、検出レンズ７６ａ・７６ｂを通過し、受光素子７７ａ・７７ｂで検出される。
【００５３】
この様にして、２つの対物レンズ４８ａ・４８ｂと、青色光・赤色光・赤外光を用いて、一つの光ピックアップで４種類以上の規格のディスクに対応することができる。
【００５４】
本構成では、青色光学系と赤色光学系の高さをほぼ同じ高さに揃えることができ、図８の様な２階建て構造に比べて、ピックアップ高さを低く抑えられ、コンパクトな光ピックアップができる。また、図７の本構成例では特に、複合反射鏡５４で青色光学系全体の角度、反射面付λ／４板５５で赤色光学系全体の角度を独立して調節することができるため、加工調整の自由度が増す。
【００５５】
即ち、本構成においては、ダイクロイックミラー膜と、ＰＢＳミラー膜と、λ／４板と、無偏光ミラー膜とが、この順に一直線上に配置されており、前記ダイクロイックミラー膜と前記ＰＢＳミラー膜は一体の光学素子に平行して形成し、かつ前記ダイクロイックミラー膜と前記ＰＢＳミラー膜が前記無偏光ミラー膜に対して４５°の角度をなして配置したミラーと波長板の組合せ構造を用いている。本構成を用いることで、これにより、異なる波長用の２つの光学系を、光束を本組合せ構造挟んで互いに反対側に分割でき、かつ２つの光学系の段差を小さくでき、全体としてコンパクトに構成できる。
【００５６】
また、本構成においては、ダイクロイックミラー膜とＰＢＳミラー膜とλ／４板と無偏光ミラー膜が、一体の光学素子に形成された、ミラーと波長板の組合せ構造を用いている。本構成を用いることで、ダイクロイックミラー膜とＰＢＳミラー膜が無偏光ミラー膜に対し４５°からずれることによる、光軸の角度誤差を防ぐことができる。また、ミラーを一体化することで、更にピック高さを低減でき、ピックを小さく薄く作ることができる。
【００５７】
また、本構成においては、ミラーと波長板の組合せ構造が、対物レンズの並びに沿って配置され、複数の対物レンズ間で共用化した光ピックアップ構造としている。本構成を用いることで、複数対物レンズに入射する全光軸に対し、同時に光軸の角度を一致させることができ、全規格の記憶媒体（ディスク）に対し同時に特性（チルト特性）の揃ったピックアップを低コストに製造できる。
【００５８】
また、本構成においては、ミラーと波長板の組合せ構造において、前記波長板を通過する光束が収束発散光となるよう光ピックアップを構成している。収束発散光は、多重反射を起こした場合、多重反射光は光路長が異なって対物レンズに入射するため、焦点距離が異なって見える。本構成を用いることで、焦点距離の違いを利用して、部品間を複数回反射する不要光が受光素子へ戻った際の、戻り光の影響を低減することができる。
【００５９】
即ち、本構成においては、ダイクロイックミラー膜とＰＢＳミラー膜を一体の光学素子上に平行して形成し、λ／４板と無偏光ミラー膜に対して４５°の角度をなして対物レンズ下に配置したミラーと波長板の組合せ構造を用いて、青色光学系と赤色光学系への光束を合成した光ピックアップとしている。
【００６０】
本構成を用いることで、２階建て構造をとらずに、青色用光路と赤色用光学系を（対物レンズに対して反対方向に）分離できる。光束を対物レンズを挟んで互いに反対側に分割でき、かつ段差を小さくできる。１階建て構造で済むことにより、ピックを小さく薄く作ることができる。
【実施例３】
【００６１】
（情報再生装置の全体構成）
次に、本発明による情報再生装置の、全体構成の実施の形態の一例を、図１１を用いて説明する。
【００６２】
記録媒体である光ディスク７は、回転サーボ回路８によって回転速度が制御されたモータ９上に取付けられている。この媒体に対して、レーザ駆動回路１０により駆動された半導体レーザ１１ａ・１１ｂ・１１ｃからの光を照射する。半導体レーザ１１ａ・１１ｂ・１１ｃは、各々波長の異なる半導体レーザであり、１１ａは赤外光半導体レーザ、１１ｂは赤色半導体レーザ、１１ｃは青色半導体レーザを用いている。
【００６３】
赤外および赤色の半導体レーザ１１ａ・１１ｂの光は、各々、３スポット法用の回折格子１２ａ・１２ｂを通過し、コリメートレンズ１５ａ・１５ｂを通過し、ビームスプリッタ１７ａ・１７ｂを通過し、λ／４板１８ａ・１８ｂを通過し、ビームスプリッタ１９ａ・１９ｂで反射されて、対物レンズ２０ａ・２０ｂで集光されて、記録媒体である光ディスク７へ照射される。
【００６４】
対物レンズ２０ａ・２０ｂはアクチュエータ２１上に取付けられており、焦点位置を、焦点サーボ回路２２の信号によって焦点深度方向（フォーカス方向）に、トラッキングサーボ回路２３の信号によってトラック方向に、それぞれ駆動できるようになっている。図１１に示した例では、対物レンズ２０ａは、ＣＤとＨＤ  ＤＶＤの互換レンズであり、対物レンズ２０ｂは、ＤＶＤとＢＤの互換レンズである。
【００６５】
照射されたうち一部の光がディスク７によって反射され、再び対物レンズ２０ａ・２０ｂを通過し、ビームスプリッタ１９で反射され、λ／４板１８ａ・１８ｂを通過して、ビームスプリッタ１７ａ・１７ｂにより反射されて、今度は検出レンズ２４ａ・２４ｂを通過して、受光素子２５ａ・２５ｂ上の検出面で検出され、電気信号に変換される。なお、ビームスプリッタ１９ａ・１９ｂは、図１１上では２つの部品に分かれているが、実際は、図７の複合反射鏡５４と反射面付λ／４板５５の様に、一体の光学部品である。
【００６６】
青色の半導体レーザ１１ｃの光は、３スポット法用の回折格子１２ｃを通過し、偏光方向を制御する偏光切替素子１３を通過し、光束分割素子である台形の偏光ビームスプリッタ１４へ入射する。偏光ビームスプリッタ１４内では、偏光方向に応じて、４５度反射面における透過／反射が決まる。偏光ビームスプリッタ１４内の４５度反射面を透過した光は、そのままコリメートレンズ１５ｃへ向かう。一方、偏光ビームスプリッタ１４内の４５度反射面で反射した光は、コリメートレンズ１５ｄへ向かう。コリメートレンズ１５ｃ・１５ｄは、レンズ駆動機構の可動部上に連結されて保持されており、この可動部はステッピングモータ１６により光軸と平行な方向に移動可能なように構成されている。
【００６７】
コリメートレンズ１５ｃ・１５ｄを通過した光は、各々、λ／４板１８ｃを通過し、ビームスプリッタ１９ｂ・１９ａを通過し、対物レンズ２０ｂ・２０ａにより集光されて、記録媒体である光ディスク７へ照射される。照射されたうち一部の光がディスク７によって反射され、再び対物レンズ２０ｂ・２０ａを通過し、ビームスプリッタ１９ｂ・１９ａを通過し、λ／４板１８ｃを通過して、コリメートレンズ１５ｃ・１５ｄを通過し、台形の偏光ビームスプリッタ１４へ入射する。この際、各々の光束はλ／４板１８ｃを２回通過したことにより偏光が９０度回転しているため、今度はコリメートレンズ１５ｃを通過した光が偏光ビームスプリッタ１４で透過し、コリメートレンズ１５ｄを通過した光が偏光ビームスプリッタ１４で反射され、共に検出レンズ２４ｃへ向かう。検出レンズ２４ｃを通過した光は、受光素子２５ｃ上の検出面で検出され、電気信号に変換される。なお、青色光では、再生信号の信号／ノイズ比（Ｓ／Ｎ比）が不足するため、検出レンズ２４ｃと受光素子２５ｃの間に半反射鏡２６を挿入して、高Ｓ／Ｎの再生信号検出器２７を併設している。
【００６８】
これら受光素子２５ａ・２５ｂ・２５ｃ上で変換された電気信号は、各々の受光素子内の光電流アンプで増幅され、この信号を元に加減算して、フォーカス誤差信号生成回路２２にてフォーカス誤差信号を、トラッキング誤差信号生成回路２３にてトラッキング誤差信号を、加算器２８にて再生信号（ＲＦ信号）を生成する。なお受光素子２５上の受光面として、本例では四分割光検出器を用い、フォーカス誤差を非点収差法により検出している。また、これに対応するために、検出レンズ２４ａ・２４ｂとして、凹レンズと円柱レンズの複合レンズを用いている。
【００６９】
前記再生信号は、等価回路３１、レベル検出回路３２、同期クロック生成回路３３を経て、複号回路３４にて、記録された元のデジタル信号に変換される。また、同期クロック生成回路３３は同時に、合成された再生信号を直接検知して同期信号を生成し、復号回路３４へ供給する。これらの一連の回路は、主制御回路３５によって統括的に制御される。
【００７０】
不揮発メモリ素子３６は、ピックアップ（可動部）上に搭載されており、主制御回路３５とデータ読出し線３７によってつながれている。前記不揮発メモリ素子３６は、各規格の光ディスクに対応したステッピングモータ１６の初期位置や、半導体レーザ４１の駆動条件や、各光軸の傾き角や、受光素子２５と再生信号検出器２７の感度比や、フォーカス誤差信号生成回路２２やトラッキング誤差信号生成回路２３で用いる信号混合比（ｋ値）など、ピックアップ固有の情報を格納している。これにより、情報再生装置（光ディスクドライブ装置）の、初期化時の調整（学習）に要する時間を短縮でき、情報再生装置の起動が高速化できる。
【００７１】
光学系の全体は、モータ９の保持するディスク７に対し、取付け角度を調整する調整機構を備えている。これにより、ピックアップ光学系において、光軸の垂直出射誤差が残っていても、光束出射方向がすべての光軸で同じ角度に揃っていれば（相対傾角さえ０度であれば）、最後に残った光軸の垂直出射誤差は、ピックアップ全体をドライブ装置に傾けて取付けることにより打消して、ほぼ０度に相殺することができる。
【００７２】
即ち、本構成においては、実施例１に記載の光ピックアップを、ドライブ装置に対して傾き調整して取付けられる機構と併用することで、最終的に残った光ピックアップ光軸の垂直出射誤差をほぼ完全に相殺することができる。これにより、ドライブ装置（情報再生装置）全体として、チルト特性のアンバランスを無くし、良好な再生特性と記録特性をえることができ、全体としての歩留りが向上する。
【００７３】
また、本構成においては、特に、単一波長光源のみならず、複数の波長の光源を用いた光ピックアップおよびドライブ装置（情報再生装置）において、実施例２に記載のミラーと波長板の組合せ構造を用いた光ピックアップを用いることで、ドライブ装置全体を、薄型化し部品部材を削減でき、かつ相対傾角の発生を抑えることができるため、複数規格互換のドライブ装置においても情報の記録再生を高信頼化し、かつ歩留り向上して低コスト化できる。
【００７４】
なお、青色光の再生信号としては、受光素子２５ｃのＲＦ信号と、再生信号検出器２８の信号（専用ＲＦ信号）を選択できるよう、再生信号切替手段３０を設けている。再生信号検出器２８は、ＲＦ信号を受光するための専用の単一受光面の受光器であり、ＲＦ信号増幅を行う初段光電流アンプの数を１つに絞れるため、ノイズの発生が少なく、高Ｓ／Ｎ比の良好な再生信号を得ることができる。また、サーボ系の受光素子とは独立しているため、ノイズの小さい交流アンプ（ＡＣアンプ）や化合物半導体トランジスタのアンプを用いることができる。これにより、高倍速でも信頼性の高い安定した複号を行える。また、サーボ用の受光素子２５ｃと独立して非点収差の影響を受けない光束を専用の受光面で受光できるため、受光面上のスポットを小さくすることができ、多層媒体の再生において他層からの迷光を極力低減して受光できるため、特に前後２層からの迷光が同時に発生する場合が生じる３層以上の多層媒体の再生時に、さらにＳ／Ｎ比の高い再生信号を得ることができる。
【００７５】
即ち、本構成では、偏光切替により複数の光路と複数の対物レンズを切替えて使用される、多規格互換ドライブ装置において、同一光源波長に対し異なる２つの規格の媒体に対し同時に高Ｓ／Ｎ比の再生信号を必要とする場合にも、非点収差の影響を受けずにＲＦ信号を受光する専用の受光面により他層からの迷光の混入を抑えて、多層媒体の再生時に高Ｓ／Ｎ比の再生信号を得ることができるという利点を有する。
【００７６】
以上、本発明に従う光ピックアップ及び光ディスク装置の実施形態について説明したが、本発明は上記実施形態に限定されず、本発明の要旨を逸脱しない範囲において種々の改良や変形を行うことができる。
【図面の簡単な説明】
【００７７】
【図１】本発明による、光学系の構成例である。
【図２】本発明の原理を説明する比較構成例である。
【図３】本発明による、光学系の構成例である。
【図４】光学部品例とその特性の説明図である。
【図５】本発明に用いる光学部品例とその特性の説明図である。
【図６】本発明に用いる光品例とその特性の説明図である。
【図７】本発明による、光学系の構成例である。
【図８】本発明の原理を説明する比較構成例である。
【図９】本発明による、光学系の配置構成例である。
【図１０】本発明による、光学部品の組合せ構成例である。
【図１１】本発明による光情報再生装置の全体構成例である。
【図１２】本発明による、光学系の構成例である。
【符号の説明】
【００７８】
１・１ａ…入射光
２・２ａ・２ｂ…平行出射光
３…垂直出射光
４…ビームスプリッタ
５…三角プリズム
６…台形偏光ビームスプリッタ
７…光ディスク
８…回転サーボ回路
９…モータ
１０…レーザ駆動回路
１１ａ・１１ｂ・１１ｃ…半導体レーザ
１２ａ・１２ｂ・１２ｃ…回折格子
１３…偏光切替素子
１４…偏光ビームスプリッタ
１５ａ・１５ｂ・１５ｃ・１５ｄ…コリメートレンズ
１６…ステッピングモータ
１７ａ・１７ｂ…ビームスプリッタ
１８ａ・１８ｂ・１８ｃ…λ／４板
１９ａ・１９ｂ…ビームスプリッタ
２０ａ・２０ｂ…対物レンズ
２１…アクチュエータ
２２…焦点サーボ回路
２３…トラッキングサーボ回路
２４ａ・２４ｂ・２４ｃ…検出レンズ
２５ａ・２５ｂ・２５ｃ…受光素子
２６…半反射鏡
２７…再生信号検出器
２８…加算器
３０…再生信号切替手段
３１…等価回路
３２…レベル検出回路
３３…同期クロック生成回路
３４…複号回路
３５…主制御回路
３６…不揮発メモリ素子
３７…データ読出し線
４１…半導体レーザ
４２…偏光切替素子
４３…偏光ビームスプリッタ
４４…三角プリズム
４５ａ・４５ｂ…コリメートレンズ
４６…λ／４板
４７ａ・４７ｂ・４７ｃ…立上げミラー
４８ａ・４８ｂ…対物レンズ
４９…レンズ駆動機構可動部
５０…検出レンズ
５１…受光素子
５２…半反射鏡
５３…再生信号検出器
５４…複合反射鏡
５５…反射面付λ／４板
５６ａ・５６ｂ…結合レンズ
６０…対物レンズ
６１…青色光学系
６２…赤色光学系
６３…台形プリズム
６４ａ・６４ｂ…ピックアップ高さ
６５…ミラーと波長版の組合せ構造
７１ａ・７１ｂ…半導体レーザ
７２ａ・７２ｂ…補助レンズ
７３ａ・７３ｂ…３スポット法用の回折格子
７４ａ・７４ｂ…ビームスプリッタ
７５ａ・７５ｂ…コリメートレンズ
７６ａ・７６ｂ…検出レンズ
７７ａ・７７ｂ…受光素子
８０…ガラス板
８１…ダイクロイックミラー膜
８２…ＰＢＳミラー膜
８３…λ／４板
８４…無偏光ミラー膜
８５…ガラス材
【図１】
2009087413.tif 000003
【図２】
2009087413.tif 000004
【図３】
2009087413.tif 000005
【図４】
2009087413.tif 000006
【図５】
2009087413.tif 000007
【図６】
2009087413.tif 000008
【図７】
2009087413.tif 000009
【図８】
2009087413.tif 000010
【図９】
2009087413.tif 000011
【図１０】
2009087413.tif 000012
【図１１】
2009087413.tif 000013
【図１２】
2009087413.tif 000014